(57)【要約】【課題】  小物類の置き忘れを防止でき、打掛錠の施錠、解錠操作もでき、非常解錠操作の邪魔にならないように打掛錠に装着可能な打掛錠用忘れ物防止装置を提供する。【解決手段】  トレイが小物類を載せることのできる載せ部を備え、打掛錠の回転に伴って横向きに回転できるように打掛錠の回転部に取り付けられており、打掛錠が取り付けられた扉又は支持体と反対側に受け具が取り付けられ、受け具は横向きになったトレイの載せ部の先端側を支持できる箇所に取り付けられた打掛錠用忘れ物防止装置である。【選択図】図１
2020081389.tif 000002
【特許請求の範囲】
【請求項１】
扉又は支持体に取り付けられた打掛錠に、忘れ物防止用のトレイを取り付けた打掛錠用忘れ物防止装置において、
トレイは小物類を載せることのできる載せ部を備え、打掛錠の回転に伴って横向きに回転できるように打掛錠の回転部に取り付けられており、
打掛錠が取り付けられた扉又は支持体と反対側に受け具が取り付けられ、受け具は横向きになったトレイの載せ部の先端側を支持できる箇所に取り付けられた、
ことを特徴とする打掛錠用忘れ物防止装置。
【請求項２】
請求項１記載の打掛錠用忘れ物防止装置において、
受け具が受け金具で支持され、その受け金具は打掛錠が取り付けられた扉又は支持体と反対側に取り付けられている、
ことを特徴とする打掛錠用忘れ物防止装置。
【請求項３】
請求項１記載の打掛錠用忘れ物防止装置において、
受け具が取付け部を備え、その取付け部は打掛錠が取り付けられた扉又は支持体と反対側に取り付けられている、
ことを特徴とする打掛錠用忘れ物防止装置。
【請求項４】
請求項１から請求項３のいずれか１項に記載の打掛錠用忘れ物防止装置において、
トレイは小物類を載せる載せ部と、打掛錠の回転部に装着する装着部を備え、
載せ部は装着部から回転方向側方に突出しており、載せ部と装着部は一体化されて、装着部を回転部に装着して、載せ部を回転操作すると装着部も回転するようにしてあり、
載せ部は横向きにすると、打掛錠の施錠部が係止する支持体又は扉の内側に突出する突出部を備えた、
ことを特徴とする打掛錠用忘れ物防止装置。
【請求項５】
請求項４記載の打掛錠用忘れ物防止装置において、
トレイの装着部が、打掛錠の非常解錠機構と連動するように回転部に固定又は脱着可能である、
ことを特徴とする打掛錠用忘れ物防止装置。
【発明の詳細な説明】
【技術分野】
【０００１】
本発明は、トイレや更衣室等の各種個室の扉や、支柱、袖パネル等（以下、これらを「支持体」という）に取り付けられる打掛錠に装備した忘れ物防止装置に関する。
【背景技術】
【０００２】
近年、トイレや脱衣所等の個室内にスマートフォンや携帯電話、財布等の小物類（以下、「小物類」という）を置き忘れる事案が増加している。
【０００３】
前記置き忘れを防止するため、置き忘れ防止トレイが提案されている。一例として、個室の扉の内側に横向きに倒したり、扉の側方に縦向きに起立させたりすることのできるトレイ（倒伏・起立式トレイ）がある（特許文献１及び２）。倒伏・起立式トレイは扉の内側に横倒しにすると小物類を載せることができ、横倒しにしている間は扉が外側に開かないようにロックすることができ、起立させないと前記ロックが解放されず、扉が外側に開かないようにしてある。この場合、小物類を取り除かずにトレイを起立させるとトレイの上の小物類が落下するため、小物類を落とさずに扉を開けて個室から出るためには、必ず小物類を取り除かなければならず、置き忘れを防止できるようにしてある。
【先行技術文献】
【特許文献】
【０００４】
【特許文献１】特開２００６−２６３４３９号公報
【特許文献２】実開平３−１２６９９１号公報
【発明の概要】
【発明が解決しようとする課題】
【０００５】
前記特許文献１及び２記載のトレイは置き忘れを防止することはできるが、個室に装備されている錠前の解錠、施錠とは別に倒伏、起立の操作をしなければならないため操作が面倒である。また、解錠しただけでは、トレイが横倒しになったままであるため、扉を開けることはできないという難点がある。しかも、個室の扉の内面と壁や支柱等に螺子止め等の方法で取り付ける構造であるため、取付けや故障時の交換等が面倒である。トレイを撤去すると、扉、壁、支柱等に取り付け跡が残るといった難点がある。更には、横倒しにしたトレイの先端側を支持するための工夫がないため、トレイの耐荷重性が不十分であり、個室使用者がトレイに手をついたりすると、トレイが下方に傾くとか、曲がるといったことがある。
【０００６】
高速道路のパーキングエリアや商業施設、学校、公会堂のように不特定多数の人が利用するトイレや更衣室等の個室では、個室使用者が急に身体の具合が悪くなって個室から出られなくなった場合などの緊急時（非常時）に備えて、外側から解錠して扉を開けられるようにしておく必要がある。トレイを設置するに当たっては非常時の対応を考慮する必要がある。
【０００７】
本発明の解決課題は、扉の施錠に打掛錠が使用される個室内での小物類の置き忘れを防止できる打掛錠用忘れ物防止装置（以下、単に「忘れ物防止装置」という。）であり、打掛錠に取り付けたトレイの耐荷重性を高めることにある。
【課題を解決するための手段】
【０００８】
本発明の忘れ物防止装置は、小物類を載せることのできるトレイを、個室の打掛錠に取り付けた忘れ物防止装置であり、トレイは装着部と載せ部を備え、装着部が打掛錠の回転部に取り付けられて打掛錠の回転により横向きに回転し、この回転により載せ部が個室の支持体又は扉の内側に突出して扉の開きを阻止することができ、前記支持体又は扉の内側に、横向きに回転したトレイの先端側の突出部を支持できる受け具を備えたものである。受け具は傘の柄や杖等を掛止できる掛け部を備えるのが望ましい。
【発明の効果】
【０００９】
本発明の忘れ物防止装置は、例えば、トレイに個室内の人の体重が掛かっても、トレイの突出部が受け具に支持されるため、トレイが曲がったり折れたりしにくくなる。また、受け具に傘を掛けることできるので、傘の置き忘れを防止することもできる。
【図面の簡単な説明】
【００１０】
【図１】本発明の忘れ物防止装置を外開き式扉に装備した場合の一例を示す斜視図。
【図２】本発明の忘れ物防止装置の詳細図。
【図３】（ａ）は本発明の忘れ物防止装置における受け具の表面斜視図、（ｂ）は受け具の裏面斜視図、（ｃ）は受け具の取付け状態の側方説明図、（ｄ）は受け具の他例を示す平面図。
【図４】（ａ）（ｂ）はトレイの取付け説明図。
【図５】（ａ）は外開き式扉の回転領域とトレイの関係を示す平面図、（ｂ）は本発明の忘れ物防止装置における受け具に傘を掛止した場合の正面図。
【図６】（ａ）は本発明におけるトレイの他例を示す斜視図、（ｂ）は（ａ）のトレイを反対側から見た場合の斜視図。
【図７】本発明の忘れ物防止装置を内開き式扉に装備した場合の斜視図。
【図８】本発明の忘れ物防止装置における受け具であり（ａ）は正面図、（ｂ）は背面図、（ｃ）は平面図、（ｄ）は底面図、（ｅ）左側面図、（ｆ）は右側面図。
【図９】本発明の忘れ物防止装置における受け具であり（ａ）は図８（ｃ）のａ−ａ断面図、（ｂ）はｂ−ｂ断面図、（ｃ）はｃ−ｃ断面図。
【発明を実施するための形態】
【００１１】
［外開き式扉］
本発明の忘れ物防止装置の一例を、図面を参照して説明する。この実施形態は個室がトイレブースであり、扉Ａが外開き式であり、錠が汎用の打掛錠の場合を一例として説明する。
【００１２】
［トレイの実施例１］
図１においてＡは扉、Ｂは支持体（袖パネル）、Ｃは打掛錠、１はトレイ、５は受け具である。打掛錠Ｃは汎用のものであり、錠ケースＤと、回転部Ｅと施錠部Ｆがある。トレイ１は回転部Ｅに取り付けて（装着して）使用するものである。個室使用者は急に身体が不調になって解錠操作できなくなることがある。打掛錠Ｃはこのような非常時或いは緊急時に、個室の外から施錠を開放できる非常解錠機構を備えている。非常解錠機構は汎用のそれと同じ機構であり、非常解錠用治具、例えば、レンチやドライバー等で、打掛錠Ｃの非常解錠部Ｇ（図４（ｂ）参照）を操作することによって、施錠部Ｆを施錠位置（図１）から解錠位置（図５（ａ）（ｂ））まで回転させて解錠できるようにしてある。
【００１３】
図１のトレイ１は、図２のように、小物類を載せることのできる載せ部２と、打掛錠Ｃの回転部Ｅに被せて装着する装着部３とを備えている。トレイ１はアルミニウムやステンレス、樹脂といった各種材料で製造することができる。樹脂には、例えば、ＡＢＳナイロン、ＰＡ６（６ナイロン）等を使用することができる。載せ部２と装着部３は一体化されている。樹脂製の場合は一体成形可能である。載せ部２は長方形の平板状であり、そのサイズ（寸法）の一例は、縦８６ｍｍ×横１６６ｍｍ×厚さ３ｍｍ程度であり、５．５インチの画面を有するスマートフォンを載せられる広さにしてある。載せ部２の寸法は一例であり、これより大きくすることも小さくすることもできる。載せ部２の形状は長方形に限らず、菱形や正方形といった他の任意形状とすることもできる。トレイ１は載せる小物類の総荷重以上の耐荷重性がある。載せ部２は図４（ａ）のように装着部３から回転方向側方に突出しており、図１のように横向きにすると、突出部２ａが個室の袖パネルＢの内側に突出可能な長さにしてある。前記袖パネルＢ又は扉Ａは打掛錠Ｃの施錠部Ｆが係止する箇所である。載せ部２は小物類を載せることができれば、平板状に限らず、他の形状であってもよい。例えば、板の外周に側縁を立ち上げた籠状のものであってもよい。籠状の場合は側縁を透明材製にするとか、メッシュ状にして、トレイに載せた小物類を外から視認できるようにするのが望ましい。
【００１４】
前記装着部３は打掛錠Ｃの回転部Ｅへ装着する部分である。具体的には回転部Ｅに被せることができるようにしてある。この装着部３は図４（ａ）（ｂ）に示すように、回転部Ｅの一面側（上側部分）に被さる上被覆部３ａと回転部Ｅの他面側（下側部分）に被さる下被覆部３ｂを備えている。上被覆部３ａと下被覆部３ｂの間には回転部Ｅに被せることのできる広さの収容空間３ｃがある。上被覆部３ａと下被覆部３ｂには止め孔３ｄがある。
【００１５】
［トレイの他の実施例］
トレイ１は装着部３の形状を変えることで、図６（ａ）（ｂ）に示す形状、構造の打掛錠Ｃに装着することもできる。
【００１６】
トレイ１の平板状の載せ部２の外周縁には、図４（ａ）（ｂ）のように、落下防止用の周壁２ｂを設けることもできる。周壁２ｂは載せ部２の表面よりも上方に突出させて設けることもできる。周壁２ｂはクッション材（図示しない）とすることもできる。周壁２ｂは載せ部２とは別体のゴム、樹脂などで構成することもできる。トレイ１を樹脂成型する場合は、載せ部２と周壁２ｂを硬さ、弾性等が異なる二種類の樹脂製とする。ゴムには、例えば、ＣＲゴムを、樹脂には、例えば、ＴＰＥ（熱可塑性エラストマー）を使用することができる。周壁２ｂを設けることにより、載せ部２の上から小物類を取り上げるときに、小物類が位置ずれしにくくなり、すべりにくくもなり、掴み易くなる。
【００１７】
トレイ１の載せ部２の表面には、弾性材を貼り付けるとか、吹き付ける等して滑り止めを設けることもできる。
【００１８】
［打掛錠へのトレイの取付け］
トレイ１を打掛錠Ｃに取り付けるには、トレイ１の装着部３の収容空間３ｃを打掛錠Ｃの回転部Ｅの外周に被せ、止め具４で回転部Ｅに固定する。具体的には、上被覆部３ａの上方から止め孔３ｄにボルト４ａを差し込み、打掛錠Ｃの回転部Ｅの貫通孔Ｈに挿通し、ボルト４ａを下被覆部３ｂの止め孔３ｄの下にセットしたキャップナット４ｂにねじ込んで、装着部３を打掛錠Ｃの回転部Ｅに固定する。この固定により、トレイ１の載せ部２を手で回転させると、その回転方向に打掛錠Ｃの回転軸Ｊが回転して、施錠、解錠される。
【００１９】
図４（ａ）（ｂ）では止め具４として頭部に六角穴を備えたボルト４ａとキャップナット４ｂが使用されている。回転部Ｅにはボルト４ａとキャップナット４ｂを挿通するための貫通孔Ｈがある。貫通孔Ｈは二個以上であってもよい。汎用の打掛錠Ｃでは回転部Ｅには貫通孔Ｈがないため、本発明では、トレイ装着用として穿孔する。この貫通孔Ｈにボルト４ａを挿入すると、ボルト４ａが貫通孔Ｈを貫通し、キャップナット４ｂにねじ込まれて、装着部３を回転部Ｅに取り付けることができる。ボルト４ａとキャップナット４ｂの螺合を外すことで、装着部３を回転部Ｅから取り外すことができる。図４（ａ）（ｂ）の貫通孔Ｈは打掛錠Ｃの回転軸Ｊよりも外側（図４（ａ）（ｂ）では回転軸Ｊの軸線よりも右側）に開口してある。回転軸Ｊの軸線よりも外側に開口することにより、その貫通孔Ｈに止め具４を差込んでトレイ１を固定すると、トレイ１の載せ部２を回転させると回転軸Ｊが回転し易くなる。装着部３は載せ部よりも肉厚にして強度を高め、変形しにくくしてある。
【００２０】
止め具４には非常解錠用治具で回転可能なものを用いることができる。このような止め具４を用いることで、トレイ１を回転部Ｅに固定するための専用の治具を用意する必要がない。トレイ１が不要となった場合には手軽に取り外すことができる。止め具４にはこれ以外のものを用いることもできる。
【００２１】
トレイ１は扉Ａの開閉を阻害しない位置、具体的には、図５（ａ）（ｂ）のように、扉Ａの開時に載せ部２の突出部２ａが袖パネルＢに干渉せず、閉時に突出部２ａが袖パネルＢの内側に位置するように回転部Ｅに取り付けてある。
【００２２】
［内開き式扉］
前記実施形態では、扉Ａが外開き式の扉の場合を一例として説明してあるが、本発明におけるトレイ１は内開き式の扉Ａに取り付けることもできる。内開き式の扉Ａの場合は、図７のように、扉Ａの横幅方向先端側の袖パネルＢの内側に打掛錠Ｃが装備される。この場合も、打掛錠Ｃの回転部Ｅに本発明の忘れ物防止装置におけるトレイ１を取り付ける。
【００２３】
外開き式扉、内開き式扉のいずれの場合でも、打掛錠Ｃへのトレイ１の取付け構造、取付け方法は、トレイ１の載せ部２を手で回転させると、その回転方向に、打掛錠Ｃの回転軸Ｊが回転するものであれば、他の取付け構造、止め具で取付けてもよい。可能であれば、トレイ１は打掛錠Ｃの回転部Ｅに接着剤で固定することもできる。
【００２４】
［受け具］
本発明の忘れ物防止装置における受け具５（図１）は、トレイ１を横倒しにした場合に、トレイ１の載せ部２の突出部２ａを支持するものであり、図１の外開き式扉の場合は袖パネルＢの内面に取り付けてあり、図７の内開き式扉の場合は扉Ａの内面に取り付けてある。いずれの場合も図３（ａ）（ｂ）のように略半円状の肉厚板状である。
【００２５】
図３（ａ）（ｂ）の受け具５は扉Ａや袖パネルＢに突き当てる面（突き当て面）６は平面であるが、外周面７は円弧状であり、更に、外周面７の上縁８と下縁９を面取りして弧面にして、外周面７に手や顔が接触しても怪我し難くなるようにしてある。受け具５には掛け部１０が開口されている。この掛け部１０は受け具５の肉厚方向に貫通している。受け具５は扉Ａ、袖パネルＢと同じ材料とすることができる。その場合は、扉Ａ、袖パネルＢの端材を使用することができる。扉Ａ、袖パネルＢと別の材料であってもよい。受け具５の形状、構造、サイズはトレイの突出部２ａを支持できれば前記以外であってもよい。受け具５は受け金具１２を使用しなくても扉Ａや袖パネルＢに取り付け可能な取付け部を備えたものであってもよい。取付け部は、例えば受け具５の底面にＬ字状に設けることができる。
【００２６】
受け具５には、傘の柄や杖、手荷物などを掛けられる掛け部１０を設けたり、汎用の係止用フックを設けたりすることもできる。掛け部１０は図３（ａ）（ｂ）のような孔とか図３（ｄ）のような横開口の孔、あるいは溝や窪み等であってもよい。
【００２７】
［受け具の取付け］
受け具５は扉Ａや袖パネルＢに取り付ける。取付け手段は種々あるが、一例として図３（ｃ）のように、扉Ａ又は袖パネルＢの内面にＬ字状の受け金具１１を取り付け、その受け金具１１の上に載せてネジ１２で固定する。受け金具１１は受け具５の幅と略同じ幅であってもよく、受け具５の幅よりも細い幅のものを二本以上並べたものであってもよい。いずれの場合でも、取付け後の耐荷重強度は、受け具５に人が手をついても折れたり曲がったり、扉Ａや袖パネルＢから外れたりしないだけの強度にしてある。
【００２８】
［使用方法］
（１）打掛錠Ｃに装着した本発明の忘れ物防止装置におけるトレイ１に小物類を載せるときは、トレイ１の載せ部２を指で持って図１に示す使用位置（横向き水平位置）まで回転させてから、小物類を載せ部２の上に載せる。この回転により打掛錠Ｃの回転部Ｅが回転して施錠もされ、載せ部２の突出部２ａが受け具５の上に支持される。
（２）トレイ１を戻すときは、載せ部２に載せた小物類を手で取ってから、トレイ１を指で持って図４（ａ）（ｂ）に示す位置まで回転させる。この回転により打掛錠Ｃの回転部Ｅが回転して解錠もされる。
【産業上の利用可能性】
【００２９】
トレイ１は打掛錠Ｃの回転部Ｅに装着する構造であるため、打掛錠Ｃを備えた個室であれば、新規の打掛錠にも既設の打掛錠にも装着することができる。本発明の忘れ物防止装置は衣料品店の試着室や運動施設の更衣室などのトイレブース以外の個室の錠にも利用することができる。前記実施形態では、打掛錠Ｃを扉Ａ又は袖パネルＢに取り付け、受け具５を袖パネルＢ又は扉Ａに取り付ける場合であるが、それらはブースの支柱や枠材等に取付けることもできる。
【符号の説明】
【００３０】
１    トレイ
２    載せ部
２ａ  （載せ部の）突出部
２ｂ  （載せ部の）周壁
３    装着部
３ａ  上被覆部
３ｂ  下被覆部
３ｃ  収容空間
３ｄ  止め孔
４    止め具
４ａ  ボルト
４ｂ  キャップナット
５    受け具
６    （受け具の）突き当て面
７    （受け具の）外周面
８    （外周面の）上縁
９    （外周面の）下縁
１０  （受け具の）掛け部
１１    受け金具
１２    ネジ
Ａ    扉
Ｂ    袖パネル（支持体）
Ｃ    打掛錠
Ｄ    錠ケース
Ｅ    回転部
Ｆ    施錠部
Ｇ    非常解錠部
Ｈ    貫通孔
Ｊ    回転軸
【図１】
2020081389.tif 000003
【図２】
2020081389.tif 000004
【図３】
2020081389.tif 000005
【図４】
2020081389.tif 000006
【図５】
2020081389.tif 000007
【図６】
2020081389.tif 000008
【図７】
2020081389.tif 000009
【図８】
2020081389.tif 000010
【図９】
2020081389.tif 000011